(57)【要約】【課題】安定に積み重ねることができる保冷保温容器の提供。【解決手段】容器本体４とその開口を塞ぐ開閉可能な蓋とを有し、該蓋を閉じた状態で中空直方体形状をなす遮熱シート外装体７と、該遮熱シート外装体の内面側に沿って配置された発泡樹脂板を有する断熱材６とを備え、前記容器本体の上端部外面側に少なくとも一つの連結片８が設けられ、且つ容器本体の下端部外面側に前記連結片が係止される係止部９が設けられ、これらの連結片と係止部とは、複数の保冷保温容器を積み重ねた際、下側の保冷保温容器の連結片が上側の保冷保温容器の係止部に係止されるような位置に設けられた保冷保温容器１。【選択図】  図６
2005014963.tif 000002
【特許請求の範囲】
【請求項１】
底面部とその周縁から立設した断熱性を有する側壁部とからなる容器本体と、該容器本体の開口を塞ぐ開閉可能な蓋とを備えた保冷保温容器であって、
前記容器本体の上端部外面側に少なくとも一つの連結片が設けられ、且つ容器本体の下端部外面側に前記連結片が係止される係止部が設けられ、これらの連結片と係止部とは、複数の保冷保温容器を積み重ねた際、下側の保冷保温容器の連結片が上側の保冷保温容器の係止部に係止されるような位置に設けられていることを特徴とする保冷保温容器。
【請求項２】
容器本体とその開口を塞ぐ開閉可能な蓋とを有し、該蓋を閉じた状態で中空直方体形状をなす遮熱シート外装体と、該遮熱シート外装体の内面側に沿って配置された発泡樹脂板を有する断熱材とを備えた保冷保温容器であって、
前記容器本体の上端部外面側に少なくとも一つの連結片が設けられ、且つ容器本体の下端部外面側に前記連結片が係止される係止部が設けられ、これらの連結片と係止部とは、複数の保冷保温容器を積み重ねた際、下側の保冷保温容器の連結片が上側の保冷保温容器の係止部に係止されるような位置に設けられていることを特徴とする保冷保温容器。
【請求項３】
前記遮熱シート外装体の四辺の側壁部のうち一対の側壁部に前記断熱材を固定すると共に、残る一対の側壁部に前記断熱材を着脱可能に取り付けて耐圧側壁部を形成し、且つ前記蓋に前記断熱材を固定して耐圧蓋部を形成してなる請求項２に記載の保冷保温容器。
【請求項４】
前記容器本体の側壁部のうち、少なくとも隣り合う二つの辺のそれぞれに前記連結片と係止部を設けた請求項３に記載の保冷保温容器。
【請求項５】
前記容器本体の側壁部に、複数の保冷保温容器が水平方向に沿って並べられた際、左右いずれか一方に隣接した保冷保温容器の係止部に係止させる連結片と、左右いずれか他方に隣接した保冷保温容器の連結片が係止される係止部とがさらに設けられた請求項１〜４のいずれかに記載の保冷保温容器。
【発明の詳細な説明】
【０００１】
【発明の属する技術分野】
本発明は、食品や医薬品等の保冷保温が必要な商品を配送する際などに用いる保冷保温容器に関する。
【０００２】
【従来の技術】
従来、保冷保温容器としては、遮熱シート製で平面形矩形状とする有底箱状ケース本体の、四側面の中の相対する一対の側面には断熱板を組み合わせて耐圧側壁部に形成すると共に、残る一対の側面となる側壁部、および四側面の下端縁全てに縫合される底面部は、共に遮熱シート製のままで折り畳み自在に形成した上、一対の側壁部の内側には、有底箱形ケース本体の隅角部に縫合された遊びシート部の他端側に接続され、断熱板を組み合わせてなる耐圧断熱層部が添設、離反可能に組み合わされると共に、一対の耐圧側壁部の中の何れか一方の上端縁には、断熱板の組み合わされた耐圧蓋部の一外周縁を開閉自在に縫合する一方、同耐圧蓋部の四外周縁の中の少なくとも一対の相対する外周縁から夫々上方に向けて連結帯部を突設すると共に、それら連結帯部に対応する一対の耐圧側壁部および／または一対の側壁部の夫々の下端寄り外側面で、前記連結帯部の突設構造に対応する箇所に、他の有底箱形ケース本体の耐圧蓋部の外側に突設、形成してある連結帯部との間で着脱可能とする仮着部を形成した断熱性格納ケースが提案されている（例えば、特許文献１参照。）。
【０００３】
【特許文献１】
特許第３３１２８７８号公報
【０００４】
【発明が解決しようとする課題】
特許文献１に記載された断熱性格納ケースは、耐圧蓋部の外周縁から連結帯部を突設し、ケース本体の下端部に仮着部を設け、ケースを積み重ねる際に下側のケースの連結帯部を上側のケースの仮着部に止めて崩れ防止を図っている。しかしながら、重い内容物を収容したケースを積み重ねる場合、耐圧蓋部自体は軽く、しかも開け易く閉められており、上側のケースは下側のケースの耐圧蓋部に設けられた連結片で止められているために、積み重ねたケースの搬送時に振動や衝撃が加わると、上側のケースが傾いて、下側のケースの耐圧蓋部が開いて上側のケースが倒れ易いという問題がある。
【０００５】
本発明は前記事情に鑑みてなされたもので、安定に積み重ねることができる保冷保温容器の提供を目的としている。
【０００６】
【課題を解決するための手段】
前記目的を達成するために本発明は、底面部とその周縁から立設した断熱性を有する側壁部とからなる容器本体と、該容器本体の開口を塞ぐ開閉可能な蓋とを備えた保冷保温容器であって、前記容器本体の上端部外面側に少なくとも一つの連結片が設けられ、且つ容器本体の下端部外面側に前記連結片が係止される係止部が設けられ、これらの連結片と係止部とは、複数の保冷保温容器を積み重ねた際、下側の保冷保温容器の連結片が上側の保冷保温容器の係止部に係止されるような位置に設けられていることを特徴とする保冷保温容器を提供する。
また本発明は、容器本体とその開口を塞ぐ開閉可能な蓋とを有し、該蓋を閉じた状態で中空直方体形状をなす遮熱シート外装体と、該遮熱シート外装体の内面側に沿って配置された発泡樹脂板を有する断熱材とを備えた保冷保温容器であって、前記容器本体の上端部外面側に少なくとも一つの連結片が設けられ、且つ容器本体の下端部外面側に前記連結片が係止される係止部が設けられ、これらの連結片と係止部とは、複数の保冷保温容器を積み重ねた際、下側の保冷保温容器の連結片が上側の保冷保温容器の係止部に係止されるような位置に設けられていることを特徴とする保冷保温容器を提供する。
本発明の保冷保温容器において、前記遮熱シート外装体の四辺の側壁部のうち一対の側壁部に前記断熱材を固定すると共に、残る一対の側壁部に前記断熱材を着脱可能に取り付けて耐圧側壁部を形成し、且つ前記蓋に前記断熱材を固定して耐圧蓋部を形成した構成とするのが好ましい。
また、前記容器本体の側壁部のうち、少なくとも隣り合う二つの辺のそれぞれに前記連結片と係止部を設けることが好ましい。
さらに、前記容器本体の側壁部に、複数の保冷保温容器が水平方向に沿って並べられた際、左右いずれか一方に隣接した保冷保温容器の係止部に係止させる連結片と、左右いずれか他方に隣接した保冷保温容器の連結片が係止される係止部とをさらに設けた構成とするのが好ましい。
【０００７】
【発明の実施の形態】
以下、図面を参照して本発明を説明する。
図１〜８は本発明の保冷保温容器の第１の例を示す図であり、図１は保冷保温容器１の耐圧蓋部５を開けた状態の斜視図、図２は同じ保冷保温容器１の耐圧蓋部５を閉めた状態の斜視図、図３は同じ保冷保温容器１の折り畳み準備状態の斜視図、図４は同じ保冷保温容器１の折り畳み状態を示す斜視図、図５は２つの保冷保温容器１を積み重ねた状態を示す斜視図、図６は同じ保冷保温容器の断面図、図７は３つの保冷保温容器１を積み重ねる前の状態を示す断面図、図８は３つの保冷保温容器１を積み重ねた状態を示す断面図である。
【０００８】
この保冷保温容器１は、容器本体４とその開口を塞ぐ開閉可能な蓋とを有し、該蓋を閉じた状態で中空直方体形状をなす遮熱シート外装体７と、該遮熱シート外装体７の内面側に沿って配置された発泡樹脂板６ａを有する断熱材６とを備え、遮熱シート外装体７の四辺の側壁部のうち一対の側壁部に前記断熱材６を固定すると共に、残る一対の側壁部に断熱材６を着脱可能に取り付けて耐圧側壁部３を形成し、且つ蓋に断熱材６を固定して耐圧蓋部５を形成した構成になっている。なお、以下の記載において、前記四辺の耐圧側壁部３のうち、矩形をなす底面部２の長辺側に立設された部分を長辺側の耐圧側壁部３、底面部２の短辺側に立設された部分を短辺側の耐圧側壁部３と記す。
【０００９】
また、この保冷保温容器１は、容器本体４の上端部外面側に１又は複数の連結片８が設けられ、且つ容器本体４の下端部外面側に連結片８が係止される係止部９が設けられ、これらの連結片８と係止部９とは、複数の保冷保温容器１を積み重ねた際、下側の保冷保温容器１の連結片８が上側の保冷保温容器１の係止部９に係止されるような位置に設けられている。
【００１０】
前記遮熱シート外装体７は、保冷保温容器の耐圧側壁部３の一部として機能すると共に、保冷保温及び断熱性能を高める機能を果たすものである。材料の遮熱シートとしては、例えばポリエチレンテレフタレートなどのポリエステル、ポリエチレン等の合成樹脂フィルムにアルミニウムまたはその他金属を蒸着した反射膜層あるいはアルミニウムまたはその他金属の箔を積層した反射膜層を有する積層シートが用いられる。この反射膜層により輻射熱の放出や侵入を阻止し、保冷保温及び断熱性能を高め得る。
【００１１】
本例において遮熱シート外装体７は、矩形状の底面部２と、その周縁から立設され、断熱材６が取り付けられる耐圧側壁部３と、その長辺側の一辺から延出され、断熱材６が取り付けられる耐圧蓋部５とからなっている。隣り合う耐圧側壁部３の側端縁同士は縫着されている。また、連結片８は耐圧側壁部３の上端縁に縫着されている。さらに、係止部９は耐圧側壁部３の下部外面に縫着または接着されている。また、耐圧側壁部３の短辺側の二辺の外面には、保冷保温容器１を搬送する際に掴むための把手１０が縫着又は接着されている。
【００１２】
この遮熱シート外装体７の内部及び耐圧蓋部５に取り付けられた断熱材６は、発泡樹脂板６ａを遮熱シート６ｂで覆った構成になっている。この発泡樹脂板６ａの材料としては、従来から発泡樹脂成形品製造のために用いられている樹脂材料の中から適宜選択して用いることができ、特に限定されず、例えば、ポリスチレン、ハイインパクトポリスチレン、スチレン−無水マレイン酸共重合体、スチレン−アクリロニトリル共重合体等のポリスチレン系樹脂、ポリエチレン、ポリプロピレン、エチレン−酢酸ビニル共重合体等のポリオレフィン系樹脂、ポリエチレンテレフタレート等のポリエステル系樹脂等を挙げることができ、強度と成形性の良さからポリスチレン系樹脂が好ましい。
【００１３】
前記連結片８と係止部９との係止構造は、連結片８を係止部９に着脱可能であればよく、特に限定されないが、例えば面ファスナー、一方に鉤止め孔、他方にフックやホック等の止め金具を設けた釦、スナップ、着脱用のバックルを有する連結金具、金属環とそれに係合する鉤形金具、磁石と磁石、又は磁石と強磁性体片との組合せなどの係止構造の中から適宜選択して用いることができる。本例示では、連結片８の端部と係止部９とに対をなす面ファスナーを固定した構成になっている。
【００１４】
本例では、耐圧側壁部３を構成している断熱材６のうち、長辺側の耐圧側壁部３では、遮熱シート外装体７と断熱材６とを縫着又は接着し、短辺側の耐圧側壁部３では、断熱材３を固着せず、あるいは断熱材６の側端縁の一方のみを遮熱シート外装体７に縫着することによって、保冷保温容器１が折り畳み可能な構造になっている。
【００１５】
図３及び図４は、この保冷保温容器１を折り畳む状態を説明するための図である。この保冷保温容器１を折り畳むには、まず、耐圧蓋部５を、その天面側が耐圧側壁部３に接するまで開き、図３に示すように、短辺側の２つの断熱材６を取り外して容器本体４内の他の断熱材６と重ね合わせる。次いで遮熱シート７の短辺側を折り込んで、全体を押し畳み、図４に示すようにコンパクトに折り畳んだ後、折り畳み状態を維持するように適所に設けたストラップ１１で止める。このように折り畳むことで、搬送後に回収した保冷保温容器１を保存しておくスペースを有効利用することができる。折り畳んだ保冷保温容器１は、ストラップ１１を解放し、遮熱シート本体７を広げ、短辺側にそれぞれ断熱材６を嵌め込んで箱状に戻す簡単な操作によって復元できる。
【００１６】
図５及び図７〜８は、複数の保冷保温容器１を積み重ねた状態を示す。２つの保冷保温容器１を積み重ねる場合、図５に示すように、下側の保冷保温容器１の耐圧蓋部５上に上側の保冷保温容器１を載せ、下側の保冷保温容器１の連結片８を、上側の保冷保温容器１の容器本体４の下部外面に設けた係止部９に係止する。上側の保冷保温容器１の連結片８は、邪魔にならないように耐圧蓋部５の天面側に設けた係止部９に係止する。これによって、上下の保冷保温容器１の積み重ね状態が安定し、上側の保冷保温容器１がずれたり崩れたりせずに搬送できる。搬送中、振動や衝撃が加わった際、上側の保冷保温容器１が傾いたとしても、連結片８が耐圧蓋部５ではなく、容器本体４側に突設されており、容器本体４の内容物の重量が加わるために、上側の保冷保温容器１が倒れ難くなり、連結片１を耐圧蓋部５に設けた場合と比べて崩れ難くすることができる。
【００１７】
また、図７及び８に示すように、３つの保冷保温容器１を積み重ねる場合も、前記２つの積み重ねの場合と同様である。第１の保冷保温容器１の上に第２の保冷保温容器１、及びその上に第３の保冷保温容器１を載せ、第１の保冷保温容器１の連結片８を、第２の保冷保温容器１の容器本体４の下部外面に設けた係止部９に係止し、また第２の保冷保温容器１の連結片８を、第３の保冷保温容器１の容器本体４の下部外面に設けた係止部９に係止する。第３の保冷保温容器１の連結片８は、邪魔にならないように耐圧蓋部５の天面側に設けた係止部９に係止する。これによって、上下の保冷保温容器１の積み重ね状態が安定し、第２，第３の保冷保温容器１がずれたり崩れたりせずに搬送できる。搬送中、振動や衝撃が加わった際、第２，第３の保冷保温容器１が傾いたとしても、連結片８が耐圧蓋部５ではなく、容器本体４側に突設されており、内容物の重量が加わっているために、上側の保冷保温容器１が倒れ難くなり、連結片１を耐圧蓋部５に設けた場合と比べて崩れ難くすることができる。
【００１８】
図９（ａ）〜（ｅ）は、容器本体４の上端縁から突設した連結片８の数や配置位置を例示するための図である。
図９（ａ）に示す例では、容器本体４の四辺の上端縁にそれぞれ連結片８を突設した場合である。容器本体４の四辺の上端縁にそれぞれ連結片８を突設すると、複数の保冷保温容器１の積み重ね状態を安定させる効果が大きくなる。
図９（ｂ）に示す例では、容器本体４の四辺のうち対向する二辺の上端縁に連結片８を突設した場合である。連結片８を２つとすることで、保冷保温容器１の積み下ろし時に、連結片８を係止部９に係止し、または係止を解除する操作が減少し、作業効率を向上できる。
図９（ｃ）に示す例では、容器本体４の四辺のうち対向する短辺側の二辺の上端縁に連結片８を突設した場合である。この例では（ｂ）と同じく、連結片８を２つとすることで、保冷保温容器１の積み下ろし時に、連結片８を係止部９に係止し、または係止を解除する操作が減少し、作業効率を向上できる。
図９（ｄ）に示す例では、容器本体４の四辺のうち、隣り合う二辺の上端縁に連結片８を突設した場合である。この例では、連結片８を２つとし、かつ隣り合う二辺の上端縁に連結片８を突設したことで、積み下ろしを行う作業者が一箇所に立ったまま、両方の連結片８の着脱を行うことが可能となるので、作業効率を向上できる。
図９（ｅ）に示す例では、容器本体４の四辺のうち、隣り合う二辺の上端縁にそれぞれ小片上の２つの連結片８を突設した場合である。この例では（ｄ）と同じく、積み下ろしを行う作業者が一箇所に立ったまま、両方の連結片８の着脱を行うことが可能となるので、作業効率を向上できる。
【００１９】
図１０は本発明の保冷保温容器の第２の例を示す図である。本例の保冷保温容器１は、前述した第１の例による保冷保温容器１と同様の構成要素を備えている他、複数の保冷保温容器１が水平方向に沿って並べられた際、左右いずれか一方に隣接した保冷保温容器１の係止部（図示略）に係止させる連結片１２と、左右いずれか他方に隣接した保冷保温容器１の連結片１２が係止される係止部（図示略）とをさらに設けた構成になっている。
【００２０】
本例の本例の保冷保温容器１は、左右方向に並んだ保冷保温容器を連結するための連結片１２を設けたことによって、垂直方向に複数段および水平方向に複数列、保冷保温容器１を積み重ねた時、垂直方向だけでなく、水平方向に隣り合う保冷保温容器１を連結片１２を介して係止でき、積み重ね状態を安定に保つことができる。
【００２１】
図１１は本発明の保冷保温容器の第３の例を示す図である。本例の保冷保温容器２１は、平面視長方形状の底板２２と、その周縁に立設された側板２３と、天面側を塞ぐ蓋２４とを備えて構成されている。この底板２２と側板２３とは合成樹脂板で形成され、且つ側板２３の表面には反射膜層を有する遮熱シート２５が設けられている。側板２３の上端各角部には、別の保冷保温容器２１を積み重ねる際に上側の保冷保温容器２１の底板２２周縁が嵌合される止め具２６が設けられている。なお、本例示では、蓋２４以外の部分が容器本体である。
【００２２】
底板２２と側板２３との内表面側および蓋２４には、発泡樹脂板２８ａを遮熱シート２８ｂで被覆してなる断熱材２８が着脱可能に取り付けられている。底板２２と側板２３との内表面側に取り付けられる断熱材２８は、それぞれの断熱材２８を底板２２と側板２３との内表面に沿わせて組み立てることにより、安定して配置される。また蓋２４の断熱材２８は、容器天面側に開閉可能に取り付けられている。
【００２３】
底板２２と側板２３の材料に用いられる合成樹脂板としては、ポリエチレン、ポリプロピレン、塩化ビニル、ポリエチレンテレフタレート、ＡＢＳ樹脂などの合成樹脂からなる平板、リブや波板構造を有する補強合成樹脂板、プラスチック段ボール（ハニカム板、中空構造板、中空積層板等の類似の板を含む）、低発泡樹脂成形板からなる群から選択される１種が好ましい。これらの中でも、軽量で機械強度にも優れるポリエチレンやポリプロピレン製のプラスチック段ボールが好ましい。この合成樹脂板は透明、半透明または不透明でよく、また所望の着色を施すことができる。
【００２４】
前記側板２３を覆う遮熱シート２５の上端部外面には、連結片２７が突設されている。また遮熱シート２５の下端部外面には、係止部２９が設けられている。これらの連結片２７と係止部とは、複数の保冷保温容器２１を積み重ねた際、下側の保冷保温容器２１の連結片２７が上側の保冷保温容器２１の係止部２９に係止されるような位置に設けられている。
【００２５】
この第３の例による保冷保温容器２１は、複数の保冷保温容器２１を積み重ねた際、下側の保冷保温容器２１の連結片２７が上側の保冷保温容器２１の係止部２９に係止されるように、蓋ではなく容器本体側に連結片２７を設けた構成としたので、前述した第１の例と同じく、上下の保冷保温容器２１の積み重ね状態が安定し、上側の保冷保温容器２１がずれたり崩れたりせずに搬送できる。搬送中、振動や衝撃が加わった際、上側の保冷保温容器２１が傾いたとしても、連結片２７が蓋ではなく、容器本体側に突設されており、内容物の重量が加わっているために、上側の保冷保温容器２１が倒れ難くなり、連結片２７を蓋から突設した場合と比べて崩れ難くすることができる。
【００２６】
【発明の効果】
本発明の保冷保温容器は、容器本体の上端部外面側に連結片を設け、容器本体の下端部外面側に連結片が係止される係止部を設け、複数の保冷保温容器を積み重ねた際、下側の保冷保温容器の連結片が上側の保冷保温容器の係止部に係止されるように構成したので、上下の保冷保温容器の積み重ね状態が安定し、上側の保冷保温容器がずれたり崩れたりせずに搬送できる。搬送中、振動や衝撃が加わった際、上側の保冷保温容器が傾いたとしても、連結片が蓋ではなく、容器本体側に突設されており、内容物の重量が加わっているために、上側の保冷保温容器が倒れ難くなり、連結片を蓋から突設した場合と比べて崩れにくくすることができる。
また、容器本体の側壁部のうち、隣り合う二つの辺のそれぞれに連結片と係止部を設けたことによって、積み下ろしを行う作業者が一箇所に立ったまま、両方の連結片の着脱を行うことが可能となるので、作業効率を向上できる。
さらに、前記容器本体の側壁部に、複数の保冷保温容器が水平方向に沿って並べられた際、左右いずれか一方に隣接した保冷保温容器の係止部に係止させる連結片と、左右いずれか他方に隣接した保冷保温容器の連結片が係止される係止部とをさらに設けたことによって、垂直方向に複数段および水平方向に複数列保冷保温容器を積み重ねた時、垂直方向だけでなく、水平方向に隣り合う保冷保温容器をこの連結片を介して係止でき、積み重ね状態を安定に保つことができる。
【図面の簡単な説明】
【図１】本発明の保冷保温容器の第１の例を示し、保冷保温容器の耐圧蓋部を開けた状態の斜視図である。
【図２】同じ保冷保温容器の耐圧蓋部を閉めた状態の斜視図である。
【図３】同じ保冷保温容器の折り畳み準備状態の斜視図である。
【図４】同じ保冷保温容器の折り畳み状態を示す斜視図である。
【図５】２つの保冷保温容器を積み重ねた状態を示す斜視図である。
【図６】同じ保冷保温容器の断面図である。
【図７】３つの保冷保温容器を積み重ねる前の状態を示す断面図である。
【図８】３つの保冷保温容器を積み重ねた状態を示す断面図である。
【図９】連結片の配置状態を例示する概略平面図である。
【図１０】本発明の保冷保温容器の第２の例を示す斜視図である。
【図１１】本発明の保冷保温容器の第３の例を示す断面図である。
【符号の説明】
１，２１…保冷保温容器、２…底面部、３…耐圧側壁部、４…容器本体、５…耐圧蓋部、６，２８…断熱材、６ａ…発泡樹脂板、６ｂ…遮熱シート、７…遮熱シート外装体、８，１２，２７…連結片、１０…把手、１１…ストラップ、２２…底板（底面部）、２３…側板（側壁部）、２４…蓋、２５…遮熱シート、２６…止め具。
【図１】
2005014963.tif 000003
【図２】
2005014963.tif 000004
【図３】
2005014963.tif 000005
【図４】
2005014963.tif 000006
【図５】
2005014963.tif 000007
【図６】
2005014963.tif 000008
【図７】
2005014963.tif 000009
【図８】
2005014963.tif 000010
【図９】
2005014963.tif 000011
【図１０】
2005014963.tif 000012
【図１１】
2005014963.tif 000013